(57)【特許請求の範囲】
【請求項１】
構造物の上階の躯体と下階の躯体との間に取り付けられる鉄骨階段であって、
一対の桁部と、
前記一対の桁部の間に溶接により接合されて支持される複数の踏板と、
前記一対の桁部を前記上階の躯体に固定する上部固定部と、
前記一対の桁部を前記下階の躯体に固定する下部固定部であって、前記一対の桁部の間に位置し、前記下階の床面から突出したアンカーボルトが挿入される貫通孔が形成された下部固定部と、
前記一対の桁部の間に溶接により接合されて支持される複数の蹴込板と、を備え、
前記下部固定部は、前記複数の踏板のうちの最も下方に配置された最下踏板の下方、かつ、前記最下踏板と前記下階の床面との間に配置された最下蹴込板よりも前記鉄骨階段の昇り側に配置され、
前記下部固定部は、前記踏板と略平行に配置される平面部を有し、
前記平面部の一部は、前記最下踏板よりも前記鉄骨階段の昇り側に配置されている、鉄骨階段。
【請求項２】
請求項１に記載の鉄骨階段であって、
前記下部固定部の上方に位置する前記踏板には、上下方向に貫通する開口が設けられており、
前記鉄骨階段は、さらに、
前記開口を開閉する蓋部を有する、鉄骨階段。
【請求項３】
請求項１または請求項２に記載の鉄骨階段であって、
前記下部固定部は、
前記一対の桁部のうちの一方の桁部の他方の桁部側の表面に固定され、前記踏板と略平行に配置されるとともに前記貫通孔が形成された第１平面部を有する第１下部固定部と、
前記一対の桁部のうちの前記他方の桁部の前記一方の桁部側の表面に固定され、前記踏板と略平行に配置されるとともに前記貫通孔が形成された第２平面部を有する第２下部固定部と、を含む、鉄骨階段。
【請求項４】
請求項１から請求項３までのいずれか一項に記載の鉄骨階段であって、
前記一対の桁部の下端面は、前記下階の躯体の表面に接している、鉄骨階段。
【請求項５】
構造物の上階の躯体と下階の躯体との間に、一対の桁部と、前記一対の桁部の間に溶接により接合されて支持される複数の踏板と、前記一対の桁部を前記上階の躯体に固定する上部固定部と、前記一対の桁部を前記下階の躯体に固定する下部固定部であって、前記一対の桁部の間に位置し、貫通孔が形成された下部固定部と、を備える鉄骨階段を取り付ける鉄骨階段の取り付け方法であって、
前記下階の床面から突出したアンカーボルトが、前記下部固定部に形成された前記貫通孔に挿入されるように、前記鉄骨階段を前記下階の躯体に対して設置する設置工程と、
前記下部固定部を前記アンカーボルトに固定する固定工程と、を有し、
前記鉄骨階段は、前記一対の桁部の間に溶接により接合されて支持される複数の蹴込板を備え、
前記下部固定部は、前記複数の踏板のうちの最も下方に配置された最下踏板の下方、かつ、前記最下踏板と前記下階の床面との間に配置された最下蹴込板よりも前記鉄骨階段の昇り側に配置され、
前記下部固定部は、前記踏板と略平行に配置される平面部を有し、
前記平面部の一部は、前記最下踏板よりも前記鉄骨階段の昇り側に配置されている、鉄骨階段の取り付け方法。
【発明の詳細な説明】
【技術分野】
【０００１】
本明細書に開示される技術は、鉄骨階段に関する。
【背景技術】
【０００２】
建築物や土木構造物等の構造物の上階の躯体と下階の躯体との間に取り付けられる鉄骨階段が知られている（例えば特許文献１参照）。一般に、鉄骨階段には、下階の躯体に固定されたアンカーボルトが挿入される貫通孔が形成された下部固定部を備える。例えば、下部固定部は、鉄骨階段の桁部の内側および外側に設けられる。鉄骨階段を設置する際には、下階の床に凹部を設け、下部固定部に形成された貫通孔に凹部の底面から突出したアンカーボルトが挿入されるように凹部内に下部固定部を設置し、ナットによって下部固定部を固定し、凹部にコンクリートを打設する。これにより、床面が平らになるとともに、鉄骨階段の桁部よりも外側に設けられた下部固定部がコンクリートで覆われ、納まりが良くなる。
【先行技術文献】
【特許文献】
【０００３】
【特許文献１】特開２００２−２９４９５９号公報
【発明の概要】
【発明が解決しようとする課題】
【０００４】
上記従来技術のように、下階の床に凹部が設けられると、下階の床に段差を発生させるため、段差梁等の配筋を追加する段差配筋を行う必要がある。さらに、凹部を埋めて床面を平らにするために、凹部の床配筋、コンクリート打設等を追加的に行う必要がある。そのため、鉄骨階段の取り付けに要する手間や費用が増大するという問題があった。
【０００５】
本明細書では、上述した課題の少なくとも一部を解決することが可能な技術を開示する。
【課題を解決するための手段】
【０００６】
（１）本明細書に開示される鉄骨階段は、構造物の上階の躯体と下階の躯体との間に取り付けられる鉄骨階段であって、一対の桁部と、前記一対の桁部の間に支持される複数の踏板と、前記一対の桁部を前記上階の躯体に固定する上部固定部と、前記一対の桁部を前記下階の躯体に固定する下部固定部であって、前記一対の桁部の間に位置し、前記下階の床面から突出したアンカーボルトが挿入される貫通孔が形成された下部固定部と、を備える。本鉄骨階段によれば、下部固定部が下階の床面から突出したアンカーボルトに固定されるため、下部固定部は下階の床面上でアンカーボルトに固定されることとなるが、下部固定部が一対の桁部の間に配置されるため、アンカーボルトに固定された下部固定部が一対の桁部の外側で下階の床面から突出することがなく、鉄骨階段の下部周辺の納まりを良くすることができる。そのため、下部躯体に凹部を設けて下部固定部を覆い隠す必要がなく、鉄骨階段の取り付けに要する手間や費用を抑制することができる。
【０００７】
（２）上記鉄骨階段において、前記下部固定部は、前記踏板の下方に配置される構成としてもよい。本鉄骨階段によれば、踏板を用いて下部固定部を覆うことができ、鉄骨階段の下部周辺の納まりを良くすることができる。
【０００８】
（３）上記鉄骨階段において、前記下部固定部の上方に位置する前記踏板には、上下方向に貫通する開口が設けられており、前記鉄骨階段は、さらに、前記開口を開閉する蓋部を有する構成としてもよい。本鉄骨階段によれば、下部固定部を下階の躯体に設置して固定する作業を行う作業者は、踏板の上方から開口を介してアンカーボルトを目視しつつ設置し、開口を介してナット締め等の固定作業を行うことができ、鉄骨階段の取り付けに要する手間を抑制することができる。また、本鉄骨階段によれば、開口を開閉する蓋部を有するので、鉄骨階段を使用する際には、蓋部で開口を閉じることで、鉄骨階段を使用する使用者は安全に鉄骨階段を使用することができる。
【０００９】
（４）上記鉄骨階段において、さらに、前記一対の桁部の間に支持される複数の蹴込板を備え、前記下部固定部は、前記複数の踏板のうちの最も下方に配置された最下踏板と前記下階の床面との間に配置された最下蹴込板よりも前記鉄骨階段の昇り側に配置される構成としてもよい。本鉄骨階段によれば、蹴込板を用いて下部固定部を覆うことができ、鉄骨階段の下部周辺の納まりをさらに良くすることができる。
【００１０】
（５）上記鉄骨階段において、前記下部固定部は、前記一対の桁部のうちの一方の桁部の他方の桁部側の表面に固定され、前記踏板と略平行に配置されるとともに前記貫通孔が形成された第１平面部を有する第１下部固定部と、前記一対の桁部のうちの前記他方の桁部の前記一方の桁部側の表面に固定され、前記踏板と略平行に配置されるとともに前記貫通孔が形成された第２平面部を有する第２下部固定部と、を含む構成としてもよい。本鉄骨階段によれば、第１下部固定部を用いて一対の桁部のうちの一方の桁部を下階の躯体に固定することができ、第２下部固定部を用いて一対の桁部のうちの他方の桁部を下階の躯体に固定することができる。
【００１１】
（６）上記鉄骨階段において、前記下部固定部は、前記複数の踏板のうちの最も下方に配置された最下踏板の下方に配置される構成としてもよい。本鉄骨階段によれば、下部固定部が第１踏板と同じ高さかそれよりも上方に配置される場合に比べて、下階の床面から露出させる必要があるアンカーボルトの長さを短くすることができ、鉄骨階段の取り付けに要する手間や費用を抑制することができる。
【００１２】
（７）なお、本明細書に開示される技術は、種々の形態で実現することが可能であり、例えば、鉄骨階段の製造方法や鉄骨階段の取り付け方法等の形態で実現することが可能である。本明細書に開示される鉄骨階段の取り付け方法は、構造物の上階の躯体と下階の躯体との間に鉄骨階段を取り付ける鉄骨階段の取り付け方法であって、前記下階の床面から突出したアンカーボルトが、前記鉄骨階段の一対の桁部の間に位置する下部固定部に形成された貫通孔に挿入されるように、前記鉄骨階段を前記下階の躯体に対して設置する設置工程と、前記下部固定部を前記アンカーボルトに固定する固定工程と、を有する。
【図面の簡単な説明】
【００１３】
【図１】鉄骨階段１０が取り付けられた建築物１の構成を概略的に示す説明図
【図２】鉄骨階段１０と梁６０との接続構造を概略的に示す説明図
【図３】鉄骨階段１０と床５０との接続構造を概略的に示す上面図
【図４】鉄骨階段１０と床５０との接続構造を概略的に示す断面図
【図５】鉄骨階段１０の正面図
【図６】鉄骨階段１０の背面図
【図７】鉄骨階段１０の上面図
【図８】鉄骨階段１０の底面図
【図９】鉄骨階段１０の右側面図
【図１０】鉄骨階段１０の左側面図
【発明を実施するための形態】
【００１４】
Ａ．実施形態：
Ａ−１．鉄骨階段１０の構成：
図１は、本実施形態における鉄骨階段１０が取り付けられた建築物１の構成の一部を概略的に示す説明図である。図１では、建築物１の仕上の一部の図示を省略している。建築物１は、鉄骨造の２階建の建築物であり、建築物１の２階の梁６０と建築物１の１階の床５０との間に鉄骨階段１０が取り付けられている。梁６０は、上階の躯体の一例であり、床５０は、下階の躯体の一例である。図１には、方向を特定するための互いに直交するＸＹＺ軸が示されている。本明細書では、便宜的に、Ｘ軸正方向を右方向と呼び、Ｘ軸負方向を左方向と呼び、Ｙ軸正方向を前方向と呼び、Ｙ軸負方向を後方向と呼び、Ｚ軸正方向を上方向と呼び、Ｚ軸負方向を下方向と呼ぶものとする。図２以降についても同様である。
【００１５】
図１に示すように、鉄骨階段１０は、一対の桁部３０と、段板部２０とを備える。一対の桁部３０は、段板部２０の右側に配置された第１桁部３０Ａと、段板部２０の左側に配置された第２桁部３０Ｂとにより構成されている。第１桁部３０Ａおよび第２桁部３０Ｂは、鋼製のプレートにより構成されている。第１桁部３０Ａおよび第２桁部３０Ｂは、後方向下側から前方向上側に向けて斜めに配置される桁部中央部３６と、桁部中央部３６の上端から前方向に伸びる桁部上部３２と、桁部中央部３６の下端から後方向に伸びる桁部下部３８とを有する。桁部下部３８の下端面は、床５０の床面ＦＬに接している。
【００１６】
各桁部上部３２は、対応する桁部３０を梁６０に固定する上部固定部として機能する。図２は、鉄骨階段１０と梁６０との接続構造を概略的に示す説明図である。図２に示すように、桁部３０の桁部上部３２には、２つのボルト６６を挿入可能な２つの貫通孔３４が形成されている。また、梁６０には、溶接等により取り付け板６２が固定されており、取り付け板６２には、２つのボルト６６を挿入可能な２つの長孔６４が形成されている。本実施形態の鉄骨階段１０では、桁部上部３２を梁６０に固定するときに、長孔６４および貫通孔３４にボルト６６を挿入させて、ナット締め等により固定する。これにより、桁部上部３２と梁６０とが、Ｙ軸方向に移動可能に固定される。
【００１７】
図３は、鉄骨階段１０と床５０との接続構造を概略的に示す上面図であり、図４は、図３のIV−IVの位置における断面図である。図３および図４に示すように、各桁部下部３８には、対応する桁部３０を床５０に固定する下部固定部４０が設けられている。下部固定部４０は、第１下部固定部４０Ａと第２下部固定部４０Ｂとから構成されている。第１下部固定部４０Ａは、後述する最下踏板２１Ｘと略平行となるように、第１桁部３０Ａの第２桁部３０Ｂ側（左側）の表面に溶接により接合されている。また、第２下部固定部４０Ｂは、最下踏板２１Ｘと略平行となるように、第２桁部３０Ｂの第１桁部３０Ａ側（右側）の表面に溶接により接合されている。すなわち、下部固定部４０Ａ、４０Ｂは、左右方向において、第１桁部３０Ａより第２桁部３０Ｂ側で、かつ、第２桁部３０Ｂより第１桁部３０Ａ側、つまり、一対の桁部３０の内側にのみ配置されており、第１桁部３０Ａに対して第２桁部３０Ｂと反対側で、かつ、第２桁部３０Ｂに対して第１桁部３０Ａと反対側、つまり、一対の桁部３０の外側には配置されていない。第１下部固定部４０Ａは、第１平面部の一例であり、第２下部固定部４０Ｂは、第２平面部の一例である。
【００１８】
第１下部固定部４０Ａには、２つの貫通孔４２が形成されており、第２下部固定部４０Ｂには、２つの貫通孔４２が形成されている。鉄骨階段１０が設置される床５０には、アンカーボルト５２が埋設されており、アンカーボルト５２の先端は、床面ＦＬの上側に突出している。本実施形態の鉄骨階段１０では、第１下部固定部４０Ａおよび第２下部固定部４０Ｂを床５０に固定するときに、４つのアンカーボルト５２のうちの２つが第１下部固定部４０Ａの２つの貫通孔４２に挿入され、残りの２つが第２下部固定部４０Ｂの２つの貫通孔４２に挿入される。そして、貫通孔４２から上側に突出しているアンカーボルト５２にワッシャ４５を入れ、第１下部固定部４０Ａおよび第２下部固定部４０Ｂの上方からワッシャ４５を介してアンカーボルト５２のネジ山に螺合するナット４４と、第１下部固定部４０Ａおよび第２下部固定部４０Ｂの下方からアンカーボルト５２のネジ山に螺合するナット４６とを、第１下部固定部４０Ａおよび第２下部固定部４０Ｂに対して締め付けることによって、第１下部固定部４０Ａおよび第２下部固定部４０Ｂをアンカーボルト５２に固定する。
【００１９】
次に、段板部２０について説明する。段板部２０は、鋼製のプレートにより構成されており、図１に示すように、一対の桁部３０の間に溶接により接合されている。段板部２０は、略水平に設けられた複数の踏板２１と、垂直に対して上側を後方向に傾けて設けられた複数の蹴込板２２とを有する。複数の踏板２１は、斜め方向に等間隔に配置されている。複数の蹴込板２２は、隣り合う踏板２１の間に配置されている。なお、複数の蹴込板２２のうちの１枚は、複数の踏板２１のうちの最も下方に配置された最下踏板２１Ｘと床５０との間に配置されている。以下、最下踏板２１Ｘと床５０との間に配置された蹴込板２２を、最下蹴込板２２Ｘと呼ぶ。
【００２０】
最下踏板２１Ｘの長手方向、つまり、左右方向の両端部には、最下踏板２１Ｘを上下方向に貫通する開口２４が形成されている。また、鉄骨階段１０は、開口２４を開閉する蓋部２８を有する。開口２４は、最下踏板２１Ｘの右側端部に設けられた第１開口２４Ａと、最下踏板２１Ｘの左側端部に設けられた第２開口２４Ｂとを含む。蓋部２８は、第１開口２４Ａを開閉する第１蓋部２８Ａと、第２開口２４Ｂを開閉する第２蓋部２８Ｂとを含む。第１蓋部２８Ａは、第１蝶番２６Ａにより、第１開口２４Ａの右側端辺に取り付けられている。第２蓋部２８Ｂは、第２蝶番２６Ｂにより、第２開口２４Ｂの左側端辺に取り付けられている。なお、最下踏板２１Ｘを含む複数の踏板２１の上面は、鉄骨階段１０が建築物１に取り付けられた後に仕上材により覆われる。そのため、最下踏板２１Ｘに開口２４Ａ、２４Ｂが形成され、その開口２４Ａ、２４Ｂが蓋部２８Ａ、２８Ｂで覆われていたとしても、鉄骨階段１０の見栄えが悪化することはない。
【００２１】
次に、下部固定部４０Ａ、４０Ｂと段板部２０との位置関係について説明する。図３に示すように、下部固定部４０Ａ、４０Ｂは、最下蹴込板２２Ｘよりも前方向、すなわち、鉄骨階段１０の昇り側に配置されている。また、図３および図４に示すように、下部固定部４０Ａ、４０Ｂは、最下踏板２１Ｘの下方に配置され、詳細には、最下踏板２１Ｘに設けられた開口２４Ａ、２４Ｂの下方に配置されている。
【００２２】
Ａ−２．鉄骨階段１０の取り付け方法：
次に、建築物１の梁６０と床５０との間に鉄骨階段１０を取り付ける鉄骨階段１０の取り付け方法（以下、単に「取り付け方法」という）を説明する。本実施形態の取り付け方法は、設置工程と、固定工程とが、この順で行われる。以下、各工程について説明する。
【００２３】
（設置工程）
本実施形態の取り付け方法では、始めに、設置工程が行われる。設置工程では、床５０の床面ＦＬから突出した４つのアンカーボルト５２が、下部固定部４０Ａ、４０Ｂにそれぞれ２つずつ形成された貫通孔４２に挿入されるように、鉄骨階段１０を設置する。設置工程では、鉄骨階段１０の最下踏板２１Ｘに設けられた蓋部２８Ａ、２８Ｂが開かれた状態で、下部固定部４０Ａ、４０Ｂを設置する。これにより、設置工程を実行する作業者は、開口２４Ａ、２４Ｂを介して踏板２１の上側からアンカーボルト５２および下部固定部４０Ａ、４０Ｂを目視しながら、鉄骨階段１０を設置することができる。
【００２４】
なお、各貫通孔４２の直径は、対応するアンカーボルト５２の直径よりも大きい。そのため、アンカーボルト５２の設置位置に誤差が生じているときでも、当該誤差を各貫通孔４２の直径と対応するアンカーボルト５２の直径との差により吸収して、鉄骨階段１０を設置することができる。
【００２５】
（固定工程）
次に、固定工程が行われる。固定工程では、貫通孔４２から上側に突出しているアンカーボルト５２にワッシャ４５を入れ、下部固定部４０Ａ、４０Ｂの上方からアンカーボルト５２のネジ山に螺合するナット４４と、下部固定部４０Ａ、４０Ｂの下方からアンカーボルト５２のネジ山に螺合するナット４６とを、下部固定部４０Ａ、４０Ｂに対して締め付けることで、下部固定部４０Ａ、４０Ｂをアンカーボルト５２に固定する。これにより、鉄骨階段１０が床５０に対して固定される。固定工程では、鉄骨階段１０の最下踏板２１Ｘに設けられた蓋部２８Ａ、２８Ｂが開かれた状態で、アンカーボルト５２にナット締めが行われる。これにより、固定工程を実行する作業者は、開口２４Ａ、２４Ｂを介して踏板２１の上側からナット締めを行うことができる。
【００２６】
Ａ−３．意匠の説明：
図５から図１０には、意匠に係る物品である鉄骨階段１０が示されている。本物品は、構造物の上階の躯体と下階の躯体との間に取り付けられる鉄骨階段１０である。図１等に示すように、本物品は、一対の桁部３０と、段板部２０とを備え、一対の桁部３０の間に形成された下部固定部４０Ａ、４０Ｂにより下階の床面から突出したアンカーボルト５２に固定される。図３に示すように、下部固定部４０Ａ、４０Ｂは、段板部２０に含まれる複数の踏板２１のうちの最も下方に配置された最下踏板２１Ｘと下階の床面との間に配置された最下蹴込板２２Ｘよりも鉄骨階段１０の昇り側に配置され、また、図４に示すように、最下踏板２１Ｘの下方に配置されている。下部固定部４０Ａ、４０Ｂは、鋼製のプレートにより構成された平板であり、最下踏板２１Ｘと略平行となるよう配置されている。下部固定部４０Ａ、４０Ｂには、４つのアンカーボルト５２のうちの２つが挿入される２つの貫通孔４２がそれぞれ形成されている。なお、図５から図１０において、実線で表された部分が、部分意匠として登録を受けようとする意匠である。
【００２７】
以上説明したように、本実施形態の鉄骨階段１０では、下部固定部４０Ａ、４０Ｂが、床５０の床面ＦＬから突出したアンカーボルト５２に固定される。そのため、下部固定部４０Ａ、４０Ｂは、床面ＦＬ上でアンカーボルト５２に固定される。本実施形態の鉄骨階段１０では、下部固定部４０Ａ、４０Ｂが一対の桁部３０の内側にのみ配置され、一対の桁部３０の外側には下付固定部４０Ａ、４０Ｂを含めた部材が存在していないため、下部固定部４０Ａ、４０Ｂが床面ＦＬ上でアンカーボルト５２に固定されても、鉄骨階段１０の下部周辺の納まりを良くすることができる。そのため、床５０に凹部を設けて下部固定部４０Ａ、４０Ｂを覆い隠す必要がない。例えば、床５０が鉄筋コンクリート造である場合、床５０に凹部を設けるためには、床５０に段差を発生させるために、段差梁等の配筋を追加する段差配筋を行う必要がある。さらに、凹部を埋めて床５０を平らにするためには、凹部の床配筋、コンクリート打設等を追加的に行う必要がある。そのため、鉄骨階段１０の取り付けに要する手間や費用が増大する。本実施形態の鉄骨階段１０では、凹部を設ける必要がないので、鉄骨階段１０の取り付けに必要な手間や費用を抑制することができる。
【００２８】
下部固定部４０Ａ、４０Ｂは、最下踏板２１Ｘの下方に配置される。そのため、最下踏板２１Ｘを用いて下部固定部４０Ａ、４０Ｂを覆うことができ、鉄骨階段１０の下部周辺の納まりを良くすることができる。また、下部固定部４０Ａ、４０Ｂが最下踏板２１Ｘの下方に配置されるので、下部固定部４０Ａ、４０Ｂが最下踏板２１Ｘと同じ高さかそれよりも上方に配置される場合に比べて、床面ＦＬから突出させるアンカーボルト５２の長さを短くすることができ、鉄骨階段１０の取り付けに必要な手間や費用を抑制することができる。
【００２９】
最下踏板２１Ｘには、上下方向に貫通する開口２４Ａ、２４Ｂが設けられている。そのため、下部固定部４０Ａ、４０Ｂを床５０に設置して固定する作業を行う作業者は、踏板２１の上方から開口２４Ａ、２４Ｂを介してアンカーボルト５２を目視しつつ設置し、開口２４Ａ、２４Ｂを介してナット締め等の固定作業を行うことができる。そのため、上記作業者は、踏板２１の下側に潜って作業を行う場合に比べて、鉄骨階段１０の取り付けに要する手間を抑制することができる。
【００３０】
下部固定部４０Ａ、４０Ｂは、最下蹴込板２２Ｘよりも鉄骨階段１０の昇り側に配置される。そのため、最下蹴込板２２Ｘを用いて下部固定部４０Ａ、４０Ｂを覆うことができ、鉄骨階段１０の下部周辺の納まりをさらに良くすることができる。
【００３１】
下部固定部４０は、第１下部固定部４０Ａと第２下部固定部４０Ｂとを含む。そのため、第１下部固定部４０Ａを用いて第１桁部３０Ａを床５０に固定することができ、第２下部固定部４０Ｂを用いて第２桁部３０Ｂを床５０に固定することができる。また、下部固定部４０Ａ、４０Ｂは、平板により構成されているため、下部固定部４０Ａ、４０Ｂに形成された貫通孔４２にアンカーボルト５２を挿入させてナット締めを行うことによりアンカーボルト５２に下部固定部４０Ａ、４０Ｂを固定しやすい。
【００３２】
Ｂ．変形例：
本明細書で開示される技術は、上述の実施形態に限られるものではなく、その要旨を逸脱しない範囲において種々の形態に変形することができ、例えば次のような変形も可能である。
【００３３】
上記実施形態では、構造物として鉄骨造の建築物を例示したが、構造物は鉄筋コンクリート造の建築物でもよく、建築物以外の構造物でもよい。また、鉄骨階段として建築物の１階と２階との間に取り付けられる鉄骨階段を例示したが、鉄骨階段は、建築物の２階と３階との間に取り付けられていてもよく、それより高層階に取り付けられていてもよい。
【００３４】
上記実施形態では、鉄骨階段が上部躯体に固定される方法として、一対の桁部３０の桁部上部３２と梁６０に取り付けられた取り付け板６２とが、ボルト６６により固定される例を示したが、桁部上部３２と取り付け板６２とは、溶接固定されてもよい。また、鉄骨階段の上端である桁部上部３２が梁６０に届いていない鉄骨階段を例示したが、桁部上部３２が梁６０の上部まで伸びていて、梁６０の上部において取り付け板６２と固定されていてもよい。
【００３５】
上記実施形態では、下部固定部４０Ａ、４０Ｂが平板により構成されているとしているが、これに限られず、前後方向に直交する断面がＬ字のＬ字プレートにより構成されていてもよい。この場合、下部固定部４０Ａ、４０Ｂは、Ｌ字プレートの一方の平板に貫通孔４２が形成され、他方の平板は対応する桁部３０の内側の表面に溶接により接合されてもよい。
【００３６】
上記実施形態では、下部固定部４０Ａ、４０Ｂが、最下踏板２１Ｘの下方に配置されるとしているが、これに限られず、最下踏板２１Ｘ以外の踏板２１の下方に配置されてもよい。この場合、下部固定部４０Ａ、４０Ｂは、最下踏板２１Ｘと同じ高さかそれよりも上方に配置されてもよく、下部固定部４０Ａ、４０Ｂの配置に基づいて、開口２４Ａ、２４Ｂが設けられる踏板２１も適宜変更されてもよい。また、例えば、下部固定部４０Ａ、４０Ｂが、複数の踏板２１のうちの比較的上方の踏板２１の下方に設けられ、開口２４Ａ、２４Ｂが無くても作業者が容易に作業を行うことができる場合には、必ずしも開口２４Ａ、２４Ｂを設ける必要がない。
【００３７】
上記実施形態では、開口２４Ａ、２４Ｂが下部固定部４０Ａ、４０Ｂの下方に配置されるとしているが、必ずしも下部固定部４０Ａ、４０Ｂの下方に配置される必要はない。つまり、開口２４Ａ、２４Ｂは、作業者が開口２４Ａ、２４Ｂを介して踏板２１の上方から腕を伸ばして、ナット締め等の固定作業を行うことができる範囲に設けられていれば、必ずしも下部固定部４０Ａ、４０Ｂの上方に配置される必要はない。
【００３８】
上記実施形態では、段板部２０が複数の蹴込板２２を備えるとしているが、これに限らず、段板部２０が蹴込板２２を備えなくてもよい。
【００３９】
上記実施形態では、下部固定部４０が、一対の桁部３０のそれぞれに固定された２つの下部固定部４０Ａ、４０Ｂにより構成されるとしているが、これに限られない。例えば、一対の桁部３０の間に支持される一続きの鋼製のプレートにより、下部固定部４０が構成されていてもよい。
【符号の説明】
【００４０】
１：建築物  １０：鉄骨階段  ２０：段板部  ２１：踏板  ２１Ｘ：最下踏板  ２２：蹴込板  ２２Ｘ：最下蹴込板  ２４：開口  ２８：蓋部  ３０：桁部  ３２：桁部上部  ３８：桁部下部  ４０：下部固定部  ４２：貫通孔  ５０：床  ５２：アンカーボルト  ６０：梁  ６２：取り付け板  ＦＬ：床面
【図１】
0006738523.tif 000002
【図２】
0006738523.tif 000003
【図３】
0006738523.tif 000004
【図４】
0006738523.tif 000005
【図５】
0006738523.tif 000006
【図６】
0006738523.tif 000007
【図７】
0006738523.tif 000008
【図８】
0006738523.tif 000009
【図９】
0006738523.tif 000010
【図１０】
0006738523.tif 000011